(57)【特許請求の範囲】
【請求項１】
スプリング収納部を平行に連続させた状態に複数の収納袋を形成し、各収納袋の夫々にコイルスプリングをその軸心を平行に並べた状態で収納してなるインナースプリング列を、コイルスプリングの軸芯が平行になるように複数列連結してマット状に構成したインナースプリング組立構造体を形成し、インナースプリング組立構造体の表裏の少なくとも一方のインナースプリング列の端面の高さを異ならせた状態でインナースプリング列をその側面同士を当接させた状態で接合し、高さの低いインナースプリング列の少なくとも上方に空間が形成されるように配置して荷重受け面を形成したことを特徴とする家具並びに寝具の荷重受け面。
【請求項２】
高さの異なる円筒形袋にスプリングを収納することにより、高さの異なるスプリング列を形成するようにしたことを特徴とする請求項１に記載の家具並びに寝具の荷重受け面。
【請求項３】
スプリング収納部を平行に連続させた複数の収納袋を形成し、各収納袋の夫々にコイルスプリングをその軸心を平行に並べた状態で収納してなるインナースプリング列を、コイルスプリングの軸芯が平行になるように複数列連結して荷重受け面を有するインナースプリング組立構造体を形成するとともに、複数のインナースプリング列の弾性力で荷重受け面の弾性力を形成するようにし、連結されるインナースプリング列の高さを異ならせることにより、高さの低いインナースプリング列の少なくとも上方に空間が形成されるように配置して少なくとも荷重が高さの異なる部分で受ける時と複数のインナースプリング列の全体で受ける時と荷重受け面の弾性力を変化させるようにしたことを特徴とする家具並びに寝具の荷重受け面の弾性力調整方法。
【発明の詳細な説明】
【０００１】
【産業上の利用分野】
本発明は、椅子やソファ等の家具や、ベッドのマットレス等の寝具に内装されて使用される荷重受け面及びその弾性力調整方法に関するものである。ここで、本発明にいうところの家具並びに寝具とは上記の例示に限らず、電車や自動車に組付けられた座席等、身体からの荷重を受ける面を有するものを広く包含するものである。
【従来の技術】
【０００２】
例えば椅子やソファ等の家具や、ベッドのマットレス等の寝具におけるお尻や身体からの荷重（体重）を受けるマットや座部（荷重受け面）を形成するインナースプリング組立構造体は、図８に示すようにスプリング収納部１０５を平行に連続させた状態に複数の円筒形袋１０６を形成し、各円筒形袋１０６の夫々にコイルスプリング１０７をその軸心を平行に並べた状態で収納してインナースプリング列１０３を形成し、このインナースプリング列１０３をその側面同士が当接する状態に複数連結して形成してある。
【０００３】
上記従来の家具並びに寝具のマットや座部ではこのマットや座部を形成するインナースプリング列が全て同じ高さのものを組合せて構成されており、マットや座部を形成するインナースプリング列の全ては略均一に圧縮された状態で装着されている。したがって、例えばベッドのマットの場合、これに身体を横臥する時その荷重を略全てのインナースプリング列で受ける為にマットが非常に硬いものになってしまうという問題があった。
【０００４】
そこで、横臥する初期にはソフトに接し、全荷重を受ける時には確りと受けられるようにするために、例えばコイルスプリングのコイル径を上端部及び下端部で小径にして上端部分及び下端部分の弾性力を弱くしたり、上端部及び下端部のコイルピッチを細かくして上端部分及び下端部分の弾性力を弱くしたものがある。また、コイルスプリングを加工するのではなく、インナースプリング列の端部に厚めのウレタン、化繊綿、フェルト等のクッション材を置き、このクッション材の弾性で初期にはソフトに接し、全荷重を受ける時には確りと受けられるようにするようにしたものもある。
【０００５】
【発明が解決しようとする課題】
ところが、上記コイルスプリングのコイル径やコイルピッチを変更するようにしたものでは、コイルスプリングの製造に手間が掛かることから、生産性が低下するとともに、製造コストも高くなってしまうという問題があった。
【０００６】
また、厚めのウレタン、化繊綿、フェルト等のクッション材を用いるものでは斯かるクッション材のために大巾なコストアップとなるだけでなく、長期間の使用に対してウレタン、化繊綿、フェルト等のクッション材のへたりが早期に発生することから、耐久性にも問題があった。
【０００７】
更に、上記何れの構造並びに弾性力の調整方法でもマットの上下の面の弾力は同じ弾性力であることから、一定の弾性力のものとならざるを得ないという問題もあった。そこで、本発明は上記問題点に鑑み提案されたもので、家具並びに寝具のマットや座部等の荷重受け面の弾性力の調整幅が広く、更に、耐久性が高い荷重受け面を安価に製造することができるようにすること目的とするものである。
【０００８】
【課題を解決するための手段】
上記目的を達成するために本発明に係る家具並びに寝具の荷重受け面は、スプリング収納部を平行に連続させた状態に複数の収納袋を形成し、各収納袋の夫々にコイルスプリングをその軸心を平行に並べた状態で収納してなるインナースプリング列を、コイルスプリングの軸芯が平行になるように複数列連結してマット状に構成したインナースプリング組立構造体を形成し、インナースプリング組立構造体の表裏の少なくとも一方のインナースプリング列の端面の高さを異ならせた状態でインナースプリング列をその側面同士を当接させた状態で接合し、高さの低いインナースプリング列の少なくとも上方に空間が形成されるように配置して荷重受け面を形成したスプリング列をその側面同士を当接させた状態で接合して荷重受け面を形成したことを特徴とするものである。
【０００９】
また、家具並びに寝具の荷重受け面において、高さの異なる円筒形袋にスプリングを収納することにより、高さの異なるスプリング列を形成するようにしたことも特徴とするものである。
【００１０】
本発明に係る家具並びに寝具の荷重受け面の弾性力調整方法は、スプリング収納部を平行に連続させた複数の収納袋を形成し、各収納袋の夫々にコイルスプリングをその軸心を平行に並べた状態で収納してなるインナースプリング列を、コイルスプリングの軸芯が平行になるように複数列連結して荷重受け面を有するインナースプリング組立構造体を形成するとともに、複数のインナースプリング列の弾性力で荷重受け面の弾性力を形成するようにし、連結されるインナースプリング列の高さを異ならせることにより、高さの低いインナースプリング列の少なくとも上方に空間が形成されるように配置して少なくとも荷重が高さの異なる部分で受ける時と複数のインナースプリング列の全体で受ける時と荷重受け面の弾性力を変化させるようにしたことを特徴とするものである。
【００１１】
【発明の実施の形態】
以下、本発明に係る家具並びに寝具に装着されるインナースプリング組立構造体及びその製造方法を図に基づいて説明する。図１はベッドのマット部分に使用されるインナースプリング組立構造体の斜視図であって、図中符号１はこのインナースプリング組立構造体を全体的に示し、このインナースプリング組立構造体１の上面に荷重受け面２が形成されている。このインナースプリング組立構造体１は、図２に示す高さ（Ｈ１）の高いインナースプリング列３と、これよりも高さ（Ｈ２）の低いインナースプリング列４（図３参照）とをその側面同士を接着剤等で連結して構成されている。
【００１２】
本発明で使用するインナースプリング列の形成装置並びにインナースプリング組立構造体１の形成装置としては、本発明者が先に提案した特開平９−１７３６７３号（インナースプリング列の形成装置）及び特開平９−８５３７３号（インナースプリング組立構造体の製造装置）が用いられる。即ち、スプリング収納部５を平行に連続させた状態に複数の円筒形袋（収納袋）６を高さを異ならせて形成し、各円筒形袋６の夫々にコイルスプリング７をその軸心を平行に並べた状態で収納してインナースプリング列３・４を形成するようにしたものである。
【００１３】
上記のようにして形成された高さの異なるインナースプリング列３・４は、これを交互に配置し、当接する側面部分を接着剤（図示せず）等で連結すると、インナースプリング組立構造体１が形成される。この時、インナースプリング列３・４の配列は図４に示すように平面視においてインナースプリング列３・４のコイルスプリング７・７・７・・・同士が一点で当接すように列状に連結することもできるし、図５に示すように一方のインナースプリング列３・４のコイルスプリング７・７・７・・・間に他方のインナースプリング列３・４のコイルスプリング７・７・７・・・が位置するように千鳥状に配置することもできる。
【００１４】
そして、高さの異なるインナースプリング列３・４の側面視における取付位置は、図６に示すようにインナースプリング列３・４の下面を略面一（同一高さ）にして、高さの低いインナースプリング列４の上方に空間８が形成されるように配置する。斯くして形成された高さの異なるインナースプリング列３・４で形成されたインナースプリング組立構造体１では、これに身体の重量（荷重）が作用した場合、まず、高さの高いインナースプリング列３・３・３・・・でその荷重を受けるのでその弾性力は柔らかなものとなる。
【００１５】
次に、高さの高いインナースプリング列３・３・３・・・が縮んで高さの低いインナースプリング列４・４・４・・・の上方の空間８が無くなると、身体の重量（荷重）は両インナースプリング列３・４で支えられるためにその弾性力は硬いものとなる。また、高さの異なるインナースプリング列３・４の側面視における取付位置としては上述したようにインナースプリング列３・４の下面を略面一（同一高さ）にしたものの他、図７に示すようにインナースプリング列３・４の各中心９・９・９・・・の位置を略同一高さにして高さの低いインナースプリング列４の上方及び下方に夫々空間８・８を形成するようにする。
【００１６】
こうしたものでは下方のインナースプリング組立構造体１の重量で下方の空間部分８が縮んでおり、身体の重量（荷重）が作用した場合、下方の空間８部分がまず縮んだ後、上方の空間８部分が縮み、然る後、身体の重量（荷重）は両インナースプリング列３・４で支えられるので弾性力は三段階に変化することになる。更に、上述の高さが低いインナースプリング列４・４・４・・・の上下に夫々空間８・８を形成するにあたり、空間の高さを、例えば上側の空間を大きくしたり、逆に下側の空間を大きくするようにしても良く、こうしたものではさらに、身体の重量（荷重）の受け方が変化する。
【００１７】
つまり、空間を大きくすると弾性力が柔らかく、沈み込みが大きくなり、身体の凹凸に沿いやすく、フィット感がよくなる。また、こうした場合、インナースプリング組立構造体１を上下（表裏）を反転させて使用することにより、弾性力を変化させることもできる。尚、上記実施の形態では高さの異なるインナースプリング列３・４を交互に配置するようにしてあるが、こうしたものに限られず、高さの異なるインナースプリング列３・４を所定本数置きに配置して弾性力の調整を行うようにすることができるのは勿論のことである。
【００１８】
【発明の効果】
本発明は以上に説明したように、インナースプリング列を複数列連結してマット状の荷重受け面を形成するにあたり、連結されるインナースプリング列の高さを異ならせて荷重受け面を形成するインナースプリング列が荷重を受ける時期をずらすことにより、荷重受け面の弾性力を変化させるようにしてあるので、従来のように、個々のコイルスプリングのコイル径やコイルピッチを変更して荷重受け面の弾性力を変化させるようにしたものに比べてコイルスプリングの製造に手間がかからず、生産性が向上し大量生産による製造コストを低減することができる利点がある。
【００１９】
また、連結されるインナースプリング列の高さを異ならせて荷重受け面の弾性力を変化させるようにしてあるので、例えば厚めのウレタン、化繊綿、フェルト等のクッション材を用いるようにした従来のものに比べてクッション材によるコストアップを防止できるとともに、クッション材のへたりがなく、耐久性を大幅に向上させることができるという利点もある。
【００２０】
更に、マット状の荷重受け面の表面と裏面を形成するインナースプリング列の高さの差を異ならせると、表面と裏面とではその弾性力も異ならせることができ、弾性力の調整幅を広くして荷重の種類や好みにも広く対応することができるという利点もある。
【図面の簡単な説明】
【図１】は本発明のインナースプリング組立構造体の斜視図である。
【図２】は本発明の高さの高いインナースプリング列の斜視図である。
【図３】は本発明の高さの低いインナースプリング列の斜視図である。
【図４】は本発明のインナースプリング組立構造体の平行配列の平面図である。
【図５】は本発明のインナースプリング組立構造体の交互配列の平面図である。
【図６】は本発明のインナースプリング組立構造体の配置を示す側面図である。
【図７】は本発明のインナースプリング組立構造体の別の配置を示す側面図である。
【図８】は、従来例にかかるインナースプリング組立構造体の側面図である。
【符号の説明】
１・・・インナースプリング組立構造体
２・・・荷重受け面
３・４・・・インナースプリング列
５・・・スプリング収納部
６・・・収納袋（円筒形袋）
７・・・コイルスプリング
【図１】
0004022336.tif 000002
【図２】
0004022336.tif 000003
【図３】
0004022336.tif 000004
【図４】
0004022336.tif 000005
【図５】
0004022336.tif 000006
【図６】
0004022336.tif 000007
【図７】
0004022336.tif 000008
【図８】
0004022336.tif 000009